【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
第１の条件の成立に基づいて第１の値を計測する第１計測手段と、
第２の条件の成立に基づいて第２の値を計測する第２計測手段と、
少なくとも前記第１の値及び／又は前記第２の値に基づいて、所定の割合を算出する算出手段と、
前記所定の割合を表示可能な表示手段と、
所定情報を記憶するＲＡＭと、
前記ＲＡＭを初期化可能なＲＡＭ初期化手段と、
所定の操作に基づき前記ＲＡＭをクリア可能なＲＡＭクリア手段と、を有し、
前記ＲＡＭは、少なくとも第１ＲＡＭ領域及び第２ＲＡＭ領域に区分され、
前記第２ＲＡＭ領域は、少なくとも前記第１の値及び前記第２の値を記憶し、
前記ＲＡＭ初期化手段は、前記第２ＲＡＭ領域がクリアされた場合に設定される初期化フラグが設定されていないことを条件に、該第２ＲＡＭ領域をクリアすると共に、前記初期化フラグを設定するように構成され、
前記ＲＡＭクリア手段は、前記ＲＡＭをクリアする場合、前記第１ＲＡＭ領域をクリアして前記第２ＲＡＭ領域をクリアしないようにすることで、該第２ＲＡＭ領域に記憶された前記第１の値及び前記第２の値がクリアされないように構成され、
前記表示手段は、所定の条件が成立した場合に、前記所定の割合を表示し、
前記算出手段は、前記所定の条件が成立したか否かに係らず、前記所定の割合を算出する遊技機。
【手続補正２】
【補正対象書類名】明細書
【補正対象項目名】０００８
【補正方法】変更
【補正の内容】
【０００８】
請求項１の発明に係る遊技機によれば、第１の条件の成立に基づいて第１の値を計測する第１計測手段（図１７に示すステップＳ１３２参照、図２２に示すステップＳ１７１参照、ステップＳ１７３参照、図４４に示すステップＳ３９３参照、ステップＳ３９５参照、累積入賞カウンタＲＮ_ＣＮＴ参照、低確用累積入賞カウンタＴＲＮ_ＣＮＴ参照、高確用累積入賞カウンタＫＲＮ_ＣＮＴ参照、所定セット累積入賞カウンタＳＮＲＮ_ＣＮＴ参照、図１９に示すステップＳ１５０参照、図２４に示すステップＳ１９０参照、ステップＳ１９１参照、図４６に示すステップＳ４３０参照、ステップＳ４３１参照、累積賞球カウンタＲＳ_ＣＮＴ参照、低確用累積賞球カウンタＴＲＳ_ＣＮＴ参照、高確用累積賞球カウンタＫＲＳ_ＣＮＴ参照、所定セット累積賞球カウンタＳＮＲＳ_ＣＮＴ参照）と、
第２の条件の成立に基づいて第２の値を計測する第２計測手段（図１７，図１９に示すステップＳ１３５参照、図２２，図２４に示すステップＳ１７２参照、ステップＳ１７４参照、累積アウトカウンタＲＯ_ＣＮＴ参照、低確用累積アウトカウンタＴＲＯ_ＣＮＴ参照、高確用累積アウトカウンタＫＲＯ_ＣＮＴ参照、図４０に示すステップＳ３５３参照、ステップＳ３５６参照、図４４に示すステップＳ３９１参照、第１役物累積入賞カウンタＹＲＮ１_ＣＮＴ参照、第２役物累積入賞カウンタＹＲＮ２_ＣＮＴ参照、所定セット第１役物累積入賞カウンタＳＮＹＲＮ１_ＣＮＴ参照、所定セット第２役物累積入賞カウンタＳＮＹＲＮ２_ＣＮＴ参照、図４２に示すステップＳ３７１参照、ステップＳ３７２参照、図４６に示すステップＳ４３２参照、ステップＳ４３３参照、ステップＳ４３４参照、ステップＳ４３５参照、第１役物累積賞球カウンタＹＲＳ１_ＣＮＴ参照、第２役物累積賞球カウンタＹＲＳ２_ＣＮＴ参照、所定セット第１役物累積賞球カウンタＳＮＹＲＳ１_ＣＮＴ参照、所定セット第２役物累積賞球カウンタＳＮＹＲＳ２_ＣＮＴ参照）と、
少なくとも前記第１の値及び／又は前記第２の値に基づいて、所定の割合を算出する算出手段（図１８に示すステップＳ１４５参照、図２０に示すステップＳ１６１参照、図２３に示すステップＳ１８２参照、図２５に示すステップＳ２０１参照、図４１に示すステップＳ３６２参照、図４３に示すステップＳ３８２参照、図４５に示すステップＳ４１８参照、ステップＳ４１９参照、図４７に示すステップＳ４４３参照、ステップＳ４４４参照）と、
前記所定の割合を表示可能な表示手段（図６に示す計測表示装置６５０参照、図５に示す液晶表示装置４１参照）と、
所定情報を記憶するＲＡＭ（図７に示す主制御ＲＡＭ６２０参照）と、
前記ＲＡＭ（図７に示す主制御ＲＡＭ６２０参照）を初期化可能なＲＡＭ初期化手段（図８に示すステップＳ６参照）と、
所定の操作に基づき前記ＲＡＭ（図７に示す主制御ＲＡＭ６２０参照）をクリア可能なＲＡＭクリア手段（図６に示すＲＡＭクリアスイッチ６４０参照）と、を有し、
前記ＲＡＭ（図７に示す主制御ＲＡＭ６２０参照）は、少なくとも第１ＲＡＭ領域（図７に示す通常用ＲＡＭ領域６２０ａ参照）及び第２ＲＡＭ領域（図７に示す計測用ＲＡＭ領域６２０ｂ参照）に区分され、
前記第２ＲＡＭ領域（図７に示す計測用ＲＡＭ領域６２０ｂ参照）は、少なくとも前記第１の値及び前記第２の値を記憶し、
前記ＲＡＭ初期化手段（図８に示すステップＳ６参照）は、前記第２ＲＡＭ領域（図７に示す計測用ＲＡＭ領域６２０ｂ参照）がクリアされた場合に設定される初期化フラグが設定されていないことを条件に、該第２ＲＡＭ領域（図７に示す計測用ＲＡＭ領域６２０ｂ参照）をクリアすると共に、前記初期化フラグを設定するように構成され、
前記ＲＡＭクリア手段（図６に示すＲＡＭクリアスイッチ６４０参照）は、前記ＲＡＭ（図７に示す主制御ＲＡＭ６２０参照）をクリアする場合、前記第１ＲＡＭ領域（図７に示す通常用ＲＡＭ領域６２０ａ参照）をクリアして前記第２ＲＡＭ領域（図７に示す計測用ＲＡＭ領域６２０ｂ参照）をクリアしないようにすることで、該第２ＲＡＭ領域（図７に示す計測用ＲＡＭ領域６２０ｂ参照）に記憶された前記第１の値及び前記第２の値がクリアされないように構成され、
前記表示手段（図６に示す計測表示装置６５０参照、図５に示す液晶表示装置４１参照）は、所定の条件が成立した場合に、前記所定の割合を表示し、
前記算出手段（図１８に示すステップＳ１４５参照、図２０に示すステップＳ１６１参照、図２３に示すステップＳ１８２参照、図２５に示すステップＳ２０１参照、図４１に示すステップＳ３６２参照、図４３に示すステップＳ３８２参照、図４５に示すステップＳ４１８参照、ステップＳ４１９参照、図４７に示すステップＳ４４３参照、ステップＳ４４４参照）は、前記所定の条件が成立したか否かに係らず、前記所定の割合を算出することを特徴としている。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】０３３４
【補正方法】変更
【補正の内容】
【０３３４】
１                      パチンコ遊技機
４１                    液晶表示装置（表示手段）
４４                    特別図柄１始動口
４４ａ                  特別図柄１始動口スイッチ
４５                    特別図柄２始動口
４５ａ                  特別図柄２始動口スイッチ
４６                    入賞装置
４６ｃ                  大入賞口スイッチ
４８                    一般入賞口
４８ａ                  右上一般入賞口
４８ａ１                右上一般入賞口スイッチ
４８ｂ                  左上一般入賞口
４８ｂ１                左上一般入賞口スイッチ
４８ｃ                  左中一般入賞口
４８ｃ１                左中一般入賞口スイッチ
４８ｄ                  左下一般入賞口
４８ｄ１                左下一般入賞口スイッチ
４９ａ                  アウト口スイッチ
６２０                  主制御ＲＡＭ（ＲＡＭ）
６２０ａ                通常用ＲＡＭ領域（第１ＲＡＭ領域）
６２０ｂ                計測用ＲＡＭ領域（第２ＲＡＭ領域）
６４０                  ＲＡＭクリアスイッチ（ＲＡＭクリア手段）
６５０                  計測表示装置（表示手段）
ＲＮ_ＣＮＴ              累積入賞カウンタ（第１計測手段）
ＴＲＮ_ＣＮＴ            低確用累積入賞カウンタ（第１計測手段）
ＫＲＮ_ＣＮＴ            高確用累積入賞カウンタ（第１計測手段）
ＹＲＮ１_ＣＮＴ          第１役物累積入賞カウンタ（第２計測手段）
ＹＲＮ２_ＣＮＴ          第２役物累積入賞カウンタ（第２計測手段）
ＲＯ_ＣＮＴ              累積アウトカウンタ（第２計測手段）
ＴＲＯ_ＣＮＴ            低確用累積アウトカウンタ（第２計測手段）
ＫＲＯ_ＣＮＴ            高確用累積アウトカウンタ（第２計測手段）
ＲＳ_ＣＮＴ              累積賞球カウンタ（第１計測手段）
ＴＲＳ_ＣＮＴ            低確用累積賞球カウンタ（第１計測手段）
ＫＲＳ_ＣＮＴ            高確用累積賞球カウンタ（第１計測手段）
ＹＲＳ１_ＣＮＴ          第１役物累積賞球カウンタ（第２計測手段）
ＹＲＳ２_ＣＮＴ          第２役物累積賞球カウンタ（第２計測手段）
ＳＮＲＮ_ＣＮＴ          所定セット累積入賞カウンタ（第１計測手段）
ＳＮＹＲＮ１_ＣＮＴ      所定セット第１役物累積入賞カウンタ（第２計測手段）
ＳＮＹＲＮ２_ＣＮＴ      所定セット第２役物累積入賞カウンタ（第２計測手段）